(57)【特許請求の範囲】
【請求項１】
会計カウンターを含み、前記会計カウンターの上端面の後端には会計部品が固定的に設置され、前記会計部品の右側には回収装置が設置され、前記回収装置は前記会計カウンターの上端面において前記会計部品の右側に設置された上方に開口したかご置き空間を含み、前記かご置き空間の下壁には後ろに開口した積み重ね空間が前記かご置き空間と連通するように設置され、前記かご置き空間の左右壁には翻転空間が対称に且つ前記かご置き空間と連通するように設置され、前記翻転空間の上端の前後壁の間には止め板が回転できるように設置され、前記翻転空間において対称中心から離れた側壁の下端には当接ロッド空間が前記翻転空間と連通するように設置され、前記当接ロッド空間の中には当接ロッドが左右にスライドできるように設置され、前記当接ロッドにおいて対称中心に近接した部分には圧力センサーが固定的に設置され、前記回収装置は前記圧力センサーによりかごの中に商品が残されているかどうかを検測し、
前記会計カウンターの中において前記会計部品の左側には包装装置が設置され、前記包装装置は前記会計カウンターの上端面に形成された滑り落ち溝を含み、前記滑り落ち溝が上方に開口しており、前記滑り落ち溝の下壁には包装空間が前記滑り落ち溝と連通するように設置され、前記包装空間の下壁の中心には第二モーターが固定的に設置され、前記第二モーターの左右両端には第二ねじロッドが対称に連結され、前記第二ねじロッドには左右にスライドできるねじ山スリーブがねじ山により連結され、
前記回収装置の左側には膜送り装置が設置され、前記膜送り装置は前記包装空間の側壁の上端に連通するように設置された膜広げ空間を含み、前記膜広げ空間の左壁には膜巻き空間が前記膜広げ空間と連通するように設置され、前記膜巻き空間の左壁の上端には左方に開口した膜置き口が前記膜巻き空間と連通するように設置され、前記膜置き口で前記膜送り装置にプラスチック膜巻きを補充することができ、
前記包装装置は、前記ねじ山スリーブの上端面に固定的に設置された連結ブロックを含み、前記包装空間の中には昇降台が上下にスライドできるように設置され、前記昇降台の下端面には下方に開口した連結溝が形成され、前記連結溝の前後壁には位置制限溝が左右対称に且つ前後対称に連通するように設置され、
前記昇降台の下方にはヒンジチェーン伸縮ロッドが設置され、前記ヒンジチェーン伸縮ロッドの下側の左右両端はそれぞれ同じ側の前記連結ブロックに回転可能に連結され、前記ヒンジチェーン伸縮ロッドの上端の左右両側には位置制限ロッドがそれぞれ前後に貫通するように固定的に設置され、前記位置制限ロッドの前後両端が同じ側の前記位置制限溝の中に延びており、前記ヒンジチェーン伸縮ロッドが伸縮するとき、前記位置制限ロッドが前記位置制限溝の中で左右にスライドできるを特徴とする商品を自動的に包装できる会計カウンター。
【請求項２】
前記回収装置は、前記当接ロッドにおいて対称中心から離れた側の端面に設置されたねじ山孔を含み、前記ねじ山孔の開口方向が逆であり、前記当接ロッド空間において対称中心から離れた側の内壁には前記圧力センサーと通電できるように連結された第一モーターが固定的に設置され、前記第一モーターにおいて対称中心に近接した一端には前記ねじ山孔にねじ山により連結された第一ねじロッドが連結され、
前記当接ロッドが対称中心に近接した側の極限位置までスライドするとき、前記圧力センサーが隣の前記止め板と当接し、また前記止め板の下端を前記かご置き空間の中に翻転させることを特徴とする請求項１に記載の商品を自動的に包装できる会計カウンター。
【請求項３】
前記積み重ね空間の左右壁の中には第一昇降空間が対称に設置され、前記第一昇降空間の中には第一昇降ブロックが上下にスライドできるように設置され、前記第一昇降ブロックの下端面と前記第一昇降空間の下壁との間には第一ばねが固定的に連結され、前記第一昇降ブロックの上端面において対称中心から離れた側には固定ブロックが固定的に設置され、前記固定ブロックにおいて対称中心に近接した側の端面には固定ロッドが固定的に設置され、
前記第一昇降ブロックの上端面にはスライドブロックが左右にスライドできるように設置され、前記スライドブロックにおいて対称中心から離れた側の端面には逆方向に開口した位置制限孔が設置され、前記スライドブロックが前記位置制限孔により前記固定ロッドにスライドできるように連結され、前記固定ロッドにおいて対称中心に近接した一端と前記位置制限孔の内壁との間には第二ばねが固定的に連結され、
前記積み重ね空間と前記第一昇降空間との間には連通口が連通するように設置され、前記連通口の下壁には斜面ブロックが固定的に設置され、前記スライドブロックが前記第一昇降空間とともに下極限位置まで下方へスライドするとき、前記スライドブロックが前記斜面ブロックの斜面と当接して対称中心から離れた方向へスライドすることを特徴とする請求項１に記載の商品を自動的に包装できる会計カウンター。
【請求項４】
前記包装空間の側壁の上端には熱風口が前記包装空間と連通するように設置され、前記熱風口の中にはニクロム線が固定的に設置され、
前記会計カウンターの下端面には下方に開口した風送り空間が設置され、前記風送り空間の左右壁の間には支持ブロックが固定的に設置され、前記支持ブロックの上端面の中には第三モーターが固定的に設置され、前記第三モーターの上端にはファンが連結され、前記風送り空間の上壁と前記熱風口との間には風送り通路が連通するように設置されていることを特徴とする請求項１に記載の商品を自動的に包装できる会計カウンター。
【請求項５】
前記膜送り装置は、前記膜巻き空間の前後壁の中に対称に且つ回転できるように設置された第一回転軸を含み、
前記膜巻き空間の中には当接ブロックが前後対称に設置され、前記当接ブロックの中にはスライド道が設置され、前記スライド道の中には矩形スライドブロックが前後にスライドできるように設置され、前記矩形スライドブロックにおいて対称中心に近接した側の端面と前記スライド道の内壁との間には第三ばねが固定的に連結され、
前記スライド道において対称中心から離れた側の内壁には逆方向に開口した連結孔が前記スライド道と連通するように設置され、前記第一回転軸において対称中心に近接した一端が前記連結孔を貫通しており、且つ隣の前記矩形スライドブロックに固定的に連結され、前記当接ブロックにおいて対称中心に近接した側の端面には掛け連結ブロックが固定的に設置されていることを特徴とする請求項１に記載の商品を自動的に包装できる会計カウンター。
【請求項６】
前記膜巻き空間の上壁の中には歯車空間が設置され、前記歯車空間の前後壁の間には第二回転軸が回転できるように設置され、前記第二回転軸の外円周面において前記歯車空間の中には第一はす歯歯車が固定的に設置され、
前記歯車空間の左壁の中には第四モーターが固定的に設置され、前記第四モーターの右端において前記歯車空間の中には前記第一はす歯歯車と噛み合った第二はす歯歯車が連結され、
前記膜巻き空間の前後壁の中にはプーリー空間が設置され、前記第一回転軸において対称中心から離れた一端が同じ側の前記プーリー空間の中に延びており、且つ前記第一回転軸において対称中心から離れた一端には第一プーリーが固定的に設置され、前記第二回転軸の前後両端が同じ側の前記プーリー空間の中に延びており、且つ前記第二回転軸の前後両端には第二プーリーが固定的に設置され、前記第一プーリーと前記第二プーリーとの間には伝動ベルトが巻き付けていることを特徴とする請求項５に記載の商品を自動的に包装できる会計カウンター。
【請求項７】
前記膜広げ空間の上壁の左端には第二昇降空間が前記膜広げ空間と連通するように設置され、前記第二昇降空間の中には第二昇降ブロックが上下にスライドできるように設置され、前記第二昇降ブロックの下端面には切断ナイフが固定的に設置され、前記第二昇降ブロックの上端面と前記第二昇降空間の上壁との間には第四ばねが固定的に連結され、前記第二昇降空間の上壁の中において前記歯車空間の右側にはカム空間が設置され、前記第二昇降空間の上壁と前記カム空間の下壁との間には押しロッドが上下に貫通するように且つ上下にスライドできるように設置され、前記押しロッドの下端が前記第二昇降ブロックに固定的に連結され、
前記歯車空間の右壁の中には第三回転軸が回転できるように設置され、前記第三回転軸の左端において前記歯車空間の中には前記第一はす歯歯車と噛み合った第三はす歯歯車が固定的に設置され、前記第三回転軸の右端が前記カム空間の中に延びており、且つ前記第三回転軸の右端にはカムが固定的に設置され、前記第四ばねの作用により、前記押しロッドの上端が終始に前記カムの下端と当接していることを特徴とする請求項６に記載の商品を自動的に包装できる会計カウンター。
【発明の詳細な説明】
【技術分野】
【０００１】
本願発明は会計カウンター技術分野に関し、具体的には商品を自動的に包装できる会計カウンターに関する。
【背景技術】
【０００２】
商品経済がますます発展している今、スーパーの会計カウンターの前に、特に祝日期間中、いつも長い列に並んでいる。会計カウンターで手動作業で支払った商品を袋に入れて包装しなければならなく、また、かごを回収する必要があるため、レジスタッフとして労働強度が大きく、効率が低く、人が集まって、客の気分に影響を与える。本願発明は上記問題を解決できる装置を開示する。
【先行技術文献】
【特許文献】
【０００３】
【特許文献１】中国特許出願公開第１０６４７７０９１号明細書
【発明の概要】
【発明が解決しようとする課題】
【０００４】
技術問題：
会計カウンターで手動作業で支払った商品を袋に入れて包装しなければならなく、また、かごを回収する必要があるため、レジスタッフとして労働強度が大きく、効率が低い。
【課題を解決するための手段】
【０００５】
商品を自動的に包装できる会計カウンターは、会計カウンターを含み、前記会計カウンターの上端面の後端には会計部品が固定的に設置され、前記会計部品の右側には回収装置が設置され、前記回収装置は前記会計カウンターの上端面において前記会計部品の右側に設置された上方に開口したかご置き空間を含み、前記かご置き空間の下壁には後ろに開口した積み重ね空間が前記かご置き空間と連通するように設置され、前記かご置き空間の左右壁には翻転空間が対称に且つ前記かご置き空間と連通するように設置され、前記翻転空間の上端の前後壁の間には止め板が回転できるように設置され、前記翻転空間において対称中心から離れた側壁の下端には当接ロッド空間が前記翻転空間と連通するように設置され、前記当接ロッド空間の中には当接ロッドが左右にスライドできるように設置され、前記当接ロッドにおいて対称中心に近接した部分には圧力センサーが固定的に設置され、前記回収装置は前記圧力センサーによりかごの中に商品が残されているかどうかを検測し、前記会計カウンターの中において前記会計部品の左側には包装装置が設置され、前記包装装置は前記会計カウンターの上端面に形成された滑り落ち溝を含み、前記滑り落ち溝が上方に開口しており、前記滑り落ち溝の下壁には包装空間が前記滑り落ち溝と連通するように設置され、前記包装空間の下壁の中心には第二モーターが固定的に設置され、前記第二モーターの左右両端には第二ねじロッドが対称に連結され、前記第二ねじロッドには左右にスライドできるねじ山スリーブがねじ山により連結され、前記回収装置の左側には膜送り装置が設置され、前記膜送り装置は前記包装空間の側壁の上端に連通するように設置された膜広げ空間を含み、前記膜広げ空間の左壁には膜巻き空間が前記膜広げ空間と連通するように設置され、前記膜巻き空間の左壁の上端には左方に開口した膜置き口が前記膜巻き空間と連通するように設置され、前記膜置き口で前記膜送り装置にプラスチック膜巻きを補充する。
【０００６】
前記回収装置は、前記当接ロッドにおいて対称中心から離れた側の端面に設置されたねじ山孔を含み、前記ねじ山孔の開口方向が逆であり、前記当接ロッド空間において対称中心から離れた側の内壁には前記圧力センサーと通電できるように連結された第一モーターが固定的に設置され、前記第一モーターにおいて対称中心に近接した一端には前記ねじ山孔にねじ山により連結された第一ねじロッドが連結され、前記当接ロッドが対称中心に近接した側の極限位置までスライドするとき、前記圧力センサーが隣の前記止め板と当接し、また前記止め板の下端を前記かご置き空間の中に翻転させる。
【０００７】
前記積み重ね空間の左右壁の中には第一昇降空間が対称に設置され、前記第一昇降空間の中には第一昇降ブロックが上下にスライドできるように設置され、前記第一昇降ブロックの下端面と前記第一昇降空間の下壁との間には第一ばねが固定的に連結され、前記第一昇降ブロックの上端面において対称中心から離れた側には固定ブロックが固定的に設置され、前記固定ブロックにおいて対称中心に近接した側の端面には固定ロッドが固定的に設置され、前記第一昇降ブロックの上端面にはスライドブロックが左右にスライドできるように設置され、前記スライドブロックにおいて対称中心から離れた側の端面には逆方向に開口した位置制限孔が設置され、前記スライドブロックが前記位置制限孔により前記固定ロッドにスライドできるように連結され、前記固定ロッドにおいて対称中心に近接した一端と前記位置制限孔の内壁との間には第二ばねが固定的に連結され、前記積み重ね空間と前記第一昇降空間との間には連通口が連通するように設置され、前記連通口の下壁には斜面ブロックが固定的に設置され、前記スライドブロックが前記第一昇降空間とともに下極限位置まで下方へスライドするとき、前記スライドブロックが前記斜面ブロックの斜面と当接して対称中心から離れた方向へスライドする。
【０００８】
前記包装装置は、前記ねじ山スリーブの上端面に固定的に設置された連結ブロックを含み、前記包装空間の中には昇降台が上下にスライドできるように設置され、前記昇降台の下端面には下方に開口した連結溝が形成され、前記連結溝の前後壁には位置制限溝が左右対称に且つ前後対称に連通するように設置され、前記昇降台の下方にはヒンジチェーン伸縮ロッドが設置され、前記ヒンジチェーン伸縮ロッドの下側の左右両端はそれぞれ同じ側の前記連結ブロックに回転可能に連結され、前記ヒンジチェーン伸縮ロッドの上端の左右両側には位置制限ロッドがそれぞれ前後に貫通するように固定的に設置され、前記位置制限ロッドの前後両端が同じ側の前記位置制限溝の中に延びており、前記ヒンジチェーン伸縮ロッドが伸縮するとき、前記位置制限ロッドが前記位置制限溝の中で左右にスライドできる。
【０００９】
前記包装空間の側壁の上端には熱風口が前記包装空間と連通するように設置され、前記熱風口の中にはニクロム線が固定的に設置され、前記会計カウンターの下端面には下方に開口した風送り空間が設置され、前記風送り空間の左右壁の間には支持ブロックが固定的に設置され、前記支持ブロックの上端面の中には第三モーターが固定的に設置され、前記第三モーターの上端にはファンが連結され、前記風送り空間の上壁と前記熱風口との間には風送り通路が連通するように設置されている。
【００１０】
前記膜送り装置は、前記膜巻き空間の前後壁の中に対称に且つ回転できるように設置された第一回転軸を含み、前記膜巻き空間の中には当接ブロックが前後対称に設置され、前記当接ブロックの中にはスライド道が設置され、前記スライド道の中には矩形スライドブロックが前後にスライドできるように設置され、前記矩形スライドブロックにおいて対称中心に近接した側の端面と前記スライド道の内壁との間には第三ばねが固定的に連結され、前記スライド道において対称中心から離れた側の内壁には逆方向に開口した連結孔が前記スライド道と連通するように設置され、前記第一回転軸において対称中心に近接した一端が前記連結孔を貫通しており、且つ隣の前記矩形スライドブロックに固定的に連結され、前記当接ブロックにおいて対称中心に近接した側の端面には掛け連結ブロックが固定的に設置されている。
【００１１】
前記膜巻き空間の上壁の中には歯車空間が設置され、前記歯車空間の前後壁の間には第二回転軸が回転できるように設置され、前記第二回転軸の外円周面において前記歯車空間の中には第一はす歯歯車が固定的に設置され、前記歯車空間の左壁の中には第四モーターが固定的に設置され、前記第四モーターの右端において前記歯車空間の中には前記第一はす歯歯車と噛み合った第二はす歯歯車が連結され、前記膜巻き空間の前後壁の中にはプーリー空間が設置され、前記第一回転軸において対称中心から離れた一端が同じ側の前記プーリー空間の中に延びており、且つ前記第一回転軸において対称中心から離れた一端には第一プーリーが固定的に設置され、前記第二回転軸の前後両端が同じ側の前記プーリー空間の中に延びており、且つ前記第二回転軸の前後両端には第二プーリーが固定的に設置され、前記第一プーリーと前記第二プーリーとの間には伝動ベルトが巻き付けている。
【００１２】
前記膜広げ空間の上壁の左端には第二昇降空間が前記膜広げ空間と連通するように設置され、前記第二昇降空間の中には第二昇降ブロックが上下にスライドできるように設置され、前記第二昇降ブロックの下端面には切断ナイフが固定的に設置され、前記第二昇降ブロックの上端面と前記第二昇降空間の上壁との間には第四ばねが固定的に連結され、前記第二昇降空間の上壁の中において前記歯車空間の右側にはカム空間が設置され、前記第二昇降空間の上壁と前記カム空間の下壁との間には押しロッドが上下に貫通するように且つ上下にスライドできるように設置され、前記押しロッドの下端が前記第二昇降ブロックに固定的に連結され、前記歯車空間の右壁の中には第三回転軸が回転できるように設置され、前記第三回転軸の左端において前記歯車空間の中には前記第一はす歯歯車と噛み合った第三はす歯歯車が固定的に設置され、前記第三回転軸の右端が前記カム空間の中に延びており、且つ前記第三回転軸の右端にはカムが固定的に設置され、前記第四ばねの作用により、前記押しロッドの上端が終始に前記カムの下端と当接している。
【発明の効果】
【００１３】
本願発明の有益的な効果は：本願発明は自動的にかごを回収して積み重ね、作業員の作業内容と強度を下げる同時に、支払った商品を自動的に包装し、客のとどまりの時間を減少し、レジの作業効率を早め、大勢の人が集まった状況を避け、待つ時間を短縮する。
【図面の簡単な説明】
【００１４】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の全体構造概略図
【図２】図２は図１のＡの拡大概略図
【図３】図３は図１のＢの拡大概略図
【図４】図４は図１のＣの拡大概略図
【図５】図５は図２のＤ―Ｄ方向の断面図
【発明を実施するための形態】
【００１６】
本願発明は商品を自動的に包装できる会計カウンターに関わり、大型スーパーでかごの回収と商品の包装に応用され、下記に本願発明の図面に合わせて本願発明をさらに説明する：
【００１７】
商品を自動的に包装できる会計カウンターは、会計カウンター１１を含み、前記会計カウンター１１の上端面の後端には会計部品１２が固定的に設置され、前記会計部品１２の右側には回収装置１０１が設置され、前記回収装置１０１は前記会計カウンター１１の上端面において前記会計部品１２の右側に設置された上方に開口したかご置き空間１３を含み、前記かご置き空間１３の下壁には後ろに開口した積み重ね空間１４が前記かご置き空間１３と連通するように設置され、前記かご置き空間１３の左右壁には翻転空間１５が対称に且つ前記かご置き空間１３と連通するように設置され、前記翻転空間１５の上端の前後壁の間には止め板１６が回転できるように設置され、前記翻転空間１５において対称中心から離れた側壁の下端には当接ロッド空間１７が前記翻転空間１５と連通するように設置され、前記当接ロッド空間１７の中には当接ロッド１８が左右にスライドできるように設置され、前記当接ロッド１８において対称中心に近接した部分には圧力センサー１９が固定的に設置され、前記回収装置１０１は前記圧力センサー１９によりかごの中に商品が残されているかどうかを検測し、前記会計カウンター１１の中において前記会計部品１２の左側には包装装置１０２が設置され、前記包装装置１０２は前記会計カウンター１１の上端面に形成された滑り落ち溝３３を含み、前記滑り落ち溝３３が上方に開口しており、前記滑り落ち溝３３の下壁には包装空間３４が前記滑り落ち溝３３と連通するように設置され、前記包装空間３４の下壁の中心には第二モーター３５が固定的に設置され、前記第二モーター３５の左右両端には第二ねじロッド３６が対称に連結され、前記第二ねじロッド３６には左右にスライドできるねじ山スリーブ３７がねじ山により連結され、前記回収装置１０１の左側には膜送り装置１０３が設置され、前記膜送り装置１０３は前記包装空間３４の側壁の上端に連通するように設置された膜広げ空間５１を含み、前記膜広げ空間５１の左壁には膜巻き空間５２が前記膜広げ空間５１と連通するように設置され、前記膜巻き空間５２の左壁の上端には左方に開口した膜置き口７９が前記膜巻き空間５２と連通するように設置され、前記膜置き口７９で前記膜送り装置１０３にプラスチック膜巻きを補充する。
【００１８】
前記回収装置１０１は、前記当接ロッド１８において対称中心から離れた側の端面に設置されたねじ山孔２０を含み、前記ねじ山孔２０の開口方向が逆であり、前記当接ロッド空間１７において対称中心から離れた側の内壁には前記圧力センサー１９と通電できるように連結された第一モーター２１が固定的に設置され、前記第一モーター２１において対称中心に近接した一端には前記ねじ山孔２０にねじ山により連結された第一ねじロッド２２が連結され、前記当接ロッド１８が対称中心に近接した側の極限位置までスライドするとき、前記圧力センサー１９が隣の前記止め板１６と当接し、また前記止め板１６の下端を前記かご置き空間１３の中に翻転させる。
【００１９】
前記積み重ね空間１４の左右壁の中には第一昇降空間２３が対称に設置され、前記第一昇降空間２３の中には第一昇降ブロック２４が上下にスライドできるように設置され、前記第一昇降ブロック２４の下端面と前記第一昇降空間２３の下壁との間には第一ばね２５が固定的に連結され、前記第一昇降ブロック２４の上端面において対称中心から離れた側には固定ブロック２６が固定的に設置され、前記固定ブロック２６において対称中心に近接した側の端面には固定ロッド２７が固定的に設置され、前記第一昇降ブロック２４の上端面にはスライドブロック２８が左右にスライドできるように設置され、前記スライドブロック２８において対称中心から離れた側の端面には逆方向に開口した位置制限孔２９が設置され、前記スライドブロック２８が前記位置制限孔２９により前記固定ロッド２７にスライドできるように連結され、前記固定ロッド２７において対称中心に近接した一端と前記位置制限孔２９の内壁との間には第二ばね３０が固定的に連結され、前記積み重ね空間１４と前記第一昇降空間２３との間には連通口３１が連通するように設置され、前記連通口３１の下壁には斜面ブロック３２が固定的に設置され、前記スライドブロック２８が前記第一昇降空間２３とともに下極限位置まで下方へスライドするとき、前記スライドブロック２８が前記斜面ブロック３２の斜面と当接して対称中心から離れた方向へスライドする。
【００２０】
前記包装装置１０２は、前記ねじ山スリーブ３７の上端面に固定的に設置された連結ブロック３８を含み、前記包装空間３４の中には昇降台３９が上下にスライドできるように設置され、前記昇降台３９の下端面には下方に開口した連結溝４０が形成され、前記連結溝４０の前後壁には位置制限溝４１が左右対称に且つ前後対称に連通するように設置され、前記昇降台３９の下方にはヒンジチェーン伸縮ロッド４２が設置され、前記ヒンジチェーン伸縮ロッド４２の下側の左右両端はそれぞれ同じ側の前記連結ブロック３８に回転可能に連結され、前記ヒンジチェーン伸縮ロッド４２の上端の左右両側には位置制限ロッド４３がそれぞれ前後に貫通するように固定的に設置され、前記位置制限ロッド４３の前後両端が同じ側の前記位置制限溝４１の中に延びており、前記ヒンジチェーン伸縮ロッド４２が伸縮するとき、前記位置制限ロッド４３が前記位置制限溝４１の中で左右にスライドできる。
【００２１】
前記包装空間３４の側壁の上端には熱風口４４が前記包装空間３４と連通するように設置され、前記熱風口４４の中にはニクロム線４５が固定的に設置され、前記会計カウンター１１の下端面には下方に開口した風送り空間４６が設置され、前記風送り空間４６の左右壁の間には支持ブロック４７が固定的に設置され、前記支持ブロック４７の上端面の中には第三モーター４８が固定的に設置され、前記第三モーター４８の上端にはファン４９が連結され、前記風送り空間４６の上壁と前記熱風口４４との間には風送り通路５０が連通するように設置されている。
【００２２】
前記膜送り装置１０３は、前記膜巻き空間５２の前後壁の中に対称に且つ回転できるように設置された第一回転軸５３を含み、前記膜巻き空間５２の中には当接ブロック５４が前後対称に設置され、前記当接ブロック５４の中にはスライド道５５が設置され、前記スライド道５５の中には矩形スライドブロック５６が前後にスライドできるように設置され、前記矩形スライドブロック５６において対称中心に近接した側の端面と前記スライド道５５の内壁との間には第三ばね５７が固定的に連結され、前記スライド道５５において対称中心から離れた側の内壁には逆方向に開口した連結孔６０が前記スライド道５５と連通するように設置され、前記第一回転軸５３において対称中心に近接した一端が前記連結孔６０を貫通しており、且つ隣の前記矩形スライドブロック５６に固定的に連結され、前記当接ブロック５４において対称中心に近接した側の端面には掛け連結ブロック５８が固定的に設置されている。
【００２３】
前記膜巻き空間５２の上壁の中には歯車空間６１が設置され、前記歯車空間６１の前後壁の間には第二回転軸６２が回転できるように設置され、前記第二回転軸６２の外円周面において前記歯車空間６１の中には第一はす歯歯車６３が固定的に設置され、前記歯車空間６１の左壁の中には第四モーター６８が固定的に設置され、前記第四モーター６８の右端において前記歯車空間６１の中には前記第一はす歯歯車６３と噛み合った第二はす歯歯車６９が連結され、前記膜巻き空間５２の前後壁の中にはプーリー空間６４が設置され、前記第一回転軸５３において対称中心から離れた一端が同じ側の前記プーリー空間６４の中に延びており、且つ前記第一回転軸５３において対称中心から離れた一端には第一プーリー６５が固定的に設置され、前記第二回転軸６２の前後両端が同じ側の前記プーリー空間６４の中に延びており、且つ前記第二回転軸６２の前後両端には第二プーリー６６が固定的に設置され、前記第一プーリー６５と前記第二プーリー６６との間には伝動ベルト６７が巻き付けている。
【００２４】
前記膜広げ空間５１の上壁の左端には第二昇降空間７０が前記膜広げ空間５１と連通するように設置され、前記第二昇降空間７０の中には第二昇降ブロック７１が上下にスライドできるように設置され、前記第二昇降ブロック７１の下端面には切断ナイフ７２が固定的に設置され、前記第二昇降ブロック７１の上端面と前記第二昇降空間７０の上壁との間には第四ばね７３が固定的に連結され、前記第二昇降空間７０の上壁の中において前記歯車空間６１の右側にはカム空間７４が設置され、前記第二昇降空間７０の上壁と前記カム空間７４の下壁との間には押しロッド７５が上下に貫通するように且つ上下にスライドできるように設置され、前記押しロッド７５の下端が前記第二昇降ブロック７１に固定的に連結され、前記歯車空間６１の右壁の中には第三回転軸７６が回転できるように設置され、前記第三回転軸７６の左端において前記歯車空間６１の中には前記第一はす歯歯車６３と噛み合った第三はす歯歯車７７が固定的に設置され、前記第三回転軸７６の右端が前記カム空間７４の中に延びており、且つ前記第三回転軸７６の右端にはカム７８が固定的に設置され、前記第四ばね７３の作用により、前記押しロッド７５の上端が終始に前記カム７８の下端と当接している。
【００２５】
下記に図１〜５に合わせて本願発明の使用流れを詳しく説明する：
【００２６】
最初に、当接ロッド１８が対称中心に近接した側の極限位置にあり、圧力センサー１９が隣の止め板１６と当接しており、止め板１６の下端がかご置き空間１３の中に翻転し、第一昇降ブロック２４が第一ばね２５の作用により上極限位置にあり、スライドブロック２８が第二ばね３０の作用により対称中心に近接した側の極限位置にあり、スライドブロック２８において対称中心に近接した一端が積み重ね空間１４の中に延びており、ヒンジチェーン伸縮ロッド４２が伸びた状態にあり、昇降台３９が上極限位置にあり、且つ昇降台３９の上端面が膜広げ空間５１の下壁と同じ平面にあり、第二昇降ブロック７１と切断ナイフ７２とが上極限位置にある。
【００２７】
作動するとき、かごをかご置き空間１３の中に置き、止め板１６がかごの落ちを止め、かごの中の商品をすべて取り出すとき、圧力センサー１９が受けた圧力が設定された空きかごの圧力値範囲になり、圧力センサー１９が第一モーター２１を始動し、第一モーター２１が始動されて第一ねじロッド２２を回転させ、ねじ山連結により当接ロッド１８と圧力センサー１９とを対称中心から離れた側へ移動させ、当接ロッド１８と圧力センサー１９が当接ロッド空間１７の中に収納され、止め板１６の下端が翻転空間１５の中に翻転し、かごがスライドブロック２８の上端と当接するまでスライドし、かごの重力により、第一ばね２５が収縮し、これにより第一昇降ブロック２４とスライドブロック２８とが下方へスライドし、スライドブロック２８が斜面ブロック３２の斜面と当接しまたはかごの上端と当接するとき、スライドブロック２８が対称中心から離れた方向へスライドし、スライドブロック２８がかごとの当接から離脱するまでスライドするとき、第一昇降ブロック２４と第二ばね３０の作用により初期状態に戻り、このとき第一モーター２１が反転して当接ロッド１８と圧力センサー１９を初期状態に戻らせ、これにより止め板１６が初期状態に戻り、第四モーター６８が始動されて第二はす歯歯車６９を回転させ、第二はす歯歯車６９が歯車噛合により第二回転軸６２と第三回転軸７６を回転させ、第二回転軸６２が回転するとき第二プーリー６６を回転させ、ベルト伝動により第一回転軸５３を回転させ、これにより矩形スライドブロック５６が当接ブロック５４を回転させてプラスチック膜を膜広げ空間５１の中に広げ、第三回転軸７６が回転するときカム７８を回転させ、カム７８が押しロッド７５を下方へ押し、これにより第二昇降ブロック７１と切断ナイフ７２とが下方へスライドし、膜広げ空間５１の中のプラスチック膜の長さが足りるとき、カム７８が半周回転し、押しロッド７５が下極限位置まで下方へスライドし、切断ナイフ７２がプラスチック膜を切断し、この時第四モーター６８が止まり、商品を滑り落ち溝３３の中に押し、第二モーター３５が始動されて第二ねじロッド３６を回転させ、これによりねじ山連結によりねじ山スリーブ３７をスライドさせ、これによりヒンジチェーン伸縮ロッド４２が収縮して昇降台３９を下方へスライドさせ、これにより商品がプラスチック膜の中心を包装空間３４の中まで下方へ押し、第三モーター４８が始動されてファン４９を回転させて風を送り、風が風送り通路５０を通過して熱風口４４まで吹き、ニクロム線４５が通電し、風がニクロム線４５により加熱された後プラスチック膜の上端を融解して密封し、包装完了後に第二モーター３５が反転してヒンジチェーン伸縮ロッド４２を延ばし、昇降台３９が上昇して初期状態に戻り、包装された商品を取り出した後、第四モーター６８が始動されて次回の膜送りを行う。
【００２８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明は商品を自動的に包装できる会計カウンターを開示した。
【解決手段】
会計カウンターを含み、前記会計カウンターの上端面の後端には会計部品が固定的に設置され、前記会計部品の右側には回収装置が設置され、前記回収装置は前記会計カウンターの上端面において前記会計部品の右側に設置された上方に開口したかご置き空間を含み、前記かご置き空間の下壁には後ろに開口した積み重ね空間が前記かご置き空間と連通するように設置され、前記かご置き空間の左右壁には翻転空間が対称に且つ前記かご置き空間と連通するように設置され、前記翻転空間の上端の前後壁の間には止め板が回転できるように設置され、前記翻転空間において対称中心から離れた側壁の下端には当接ロッド空間が前記翻転空間と連通するように設置され、前記当接ロッド空間の中には当接ロッドが左右にスライドできるように設置されている。
【選択図】図１【図１】
0006808129.tif 000002
【図２】
0006808129.tif 000003
【図３】
0006808129.tif 000004
【図４】
0006808129.tif 000005
【図５】
0006808129.tif 000006